(57)【要約】【課題】  副画面に特定の映像フォーマットのみ表示できる２画面テレビジョン装置において、１画面での高品位表示と２画面表示を両立するためには、視聴者が１画面、２画面を切換る操作が煩雑であった。【解決手段】  複数の映像フォーマットの映像信号が同一番組であるか否かを判別する判別手段と、前記判別手段により前記複数の映像フォーマットの映像信号が同一番組があると判別された時、１画面の外部入力映像表示時に前記複数の映像フォーマットの映像信号から高品位な映像フォーマットを選択し、２画面の副画面に外部入力映像表示時に前記特定の映像フォーマットを選択する映像選択手段とを備えて、１画面での高品位表示と２画面表示とを容易に切換られることにより利便性を高めた。【選択図】  図１
2006261906.tif 000002
【特許請求の範囲】
【請求項１】
複数の映像フォーマットの映像信号を入力できる複数の外部入力回路を備え、２画面時の副画面は特定の映像フォーマットのみ表示できる２画面テレビジョン装置において、前記複数の映像フォーマットの映像信号が同一番組であるか否かを判別する判別手段と、前記判別手段により前記複数の映像フォーマットの映像信号が同一番組があると判別された時、１画面の外部入力映像表示時に前記複数の映像フォーマットの映像信号から高品位な映像フォーマットを選択し、２画面の副画面に外部入力映像表示時に前記特定の映像フォーマットを選択する映像選択手段とを有してなることを特徴とする２画面テレビジョン装置。
【請求項２】
請求項１に記載の２画面テレビジョン装置において、前記高品位な映像フォーマットはハイビジョン放送フォーマット、前記特定の映像フォーマットは標準放送フォーマットであることを特徴とする２画面テレビジョン装置。
【発明の詳細な説明】
【技術分野】
【０００１】
本発明は、複数のフォーマットからなる映像ソースを２画面表示する際に、これらの映像ソースを最適に選択し出力する２画面テレビジョン装置に関する。
【背景技術】
【０００２】
近年のテレビジョン受像機では、映像信号のソースフォーマットとして必ずしも同じフォーマットの信号が受信、入力されるとは限らない。ソースフォーマットの種類としては、たとえば、４８０ｉフォーマット（有効走査線数４８０本、Interlaced scan:飛び越し走査方式、以下ＳＤ信号と言う）、１０８０ｉフォーマット（有効走査線数１０８０本、飛び越し走査方式、以下ＨＤ信号と言う）等がある。
【０００３】
図３は２画面表示機能の観念図である。本図では主映像と副映像が左右に均等に表示している。表示部Ａが主映像、Ｂが副映像を表示している。また、図４は主画面のなかに副画面が入る形である。Ａが主映像、Ｂが副映像である。
【０００４】
このような２画面ＴＶの従来の信号合成回路の構成を図８に示す。外部映像受信機１はＳＴＢ（セットトップボックス）、ケーブルＴＶ受信機等の単独でテレビジョン放送を受信可能な映像受信機である。ＴＶ受信部２は単独でテレビジョン放送を受信可能な受信部であり、テレビジョン放送としてHD信号を受信する。映像入力端子を２つ備えており、ＳＤ信号、ＨＤ信号のいずれかを選択できる。さらに、テレビジョン放送と外部入力信号を同時に２画面として表示できる。パネル表示部３はテレビジョン映像表示部であり、CRT、液晶、PDP等である。ＴＶ受信部２からの信号をパネル２２に表示する。
【０００５】
本従来技術のシステムは主映像はＨＤ信号、ＳＤ信号とも表示でき、副画面はＳＤ信号のみ表示できるものとする。2画面でHD信号を表示するためにはＨＤ−ＳＤ信号変換回路でＨＤ信号をＳＤ信号に変換し表示する必要がある。しかし、ＨＤ−ＳＤ信号変換回路は回路規模が大きいため、ＩＣのゲート数の制限、コストとの兼ね合いからＨＤ−ＳＤ信号変換回路を１回路のみ実装することが一般的な形態としてある。よって、主画面はＨＤ信号、ＳＤ信号を表示でき、副画面についてはＳＤ信号のみ表示可能となる。
【０００６】
外部映像受信機１について説明する。一般的に専用放送、有料放送を受信するためのＳＴＢ等の放送受信機である。アンテナ４は放送受信用アンテナである。受信回路５はアンテナ４からの放送信号を検波、復調し、映像信号を生成する回路である。ＨＤ−ＳＤ変換回路６はＨＤ信号をダウンコンバートすることによってＳＤ信号を生成する回路である。ＨＤ信号出力回路７、ＳＤ信号出力回路８はそれぞれＨＤ信号、ＳＤ信号を出力する回路である。
【０００７】
ＴＶ受信部２について説明する。ＴＶ受信部２はＴＶの受信、外部信号の入力、受信信号と外部入力信号の切換と２画面合成を行う。アンテナ９は放送受信用アンテナである。受信回路１０はアンテナ９からの放送信号を検波、復調し、映像信号を生成する回路である。画像処理回路１１は受信回路１０からの映像信号の画質、色調等を調整する回路である。ＨＤ信号入力回路１６、ＳＤ信号入力回路１７はそれぞれＨＤ信号、ＳＤ信号専用の入力回路である。接続する機器によってＨＤ信号を接続する場合、ＳＤ信号を接続する場合、ＨＤ信号、ＳＤ信号両方を接続する場合がある。ＨＤ信号、ＳＤ信号の両方に接続する場合は両方の信号が同一番組であるのが一般的である。以下の説明ではＨＤ信号入力とＳＤ信号入力に同じ番組が入っている場合を説明する。外部信号切換ＳＷ１８は外部入力についてＨＤ信号とＳＤ信号を切換るものである。ＨＤ信号時はａ側が、ＳＤ信号時はｂ側が選択される。画像処理回路２０は外部入力信号の画質、色調等を調整する回路である。主画像切換ＳＷ１２は主画面としてＴＶ信号と外部信号のどちらを選択するか決定するものであり、画像処理回路１１からのＴＶ信号と画像処理回路２０からの外部入力信号を切り換える。ＴＶ信号時はｃ側が、外部入力時はｄ側が選択される。ＨＤ−ＳＤ変換回路１３は２画面時に主画面の信号をＨＤ信号からＳＤ信号に変換するものである。ＨＤ−ＳＤ変換切換SW１４はＨＤ−ＳＤ変換回路１３を通すか否かを切り換えるＳＷである。２画面表示時はＨＤ信号をＳＤ信号に変換するためｆ側を、１画面時はｅ側を選択する。画像合成回路１５は主画面用映像信号と副画面用映像信号を合成する回路であり、ＨＤ−ＳＤ変換切換ＳＷ１４からの主画面用信号と画像処理回路２０からの副画面用信号を合成する。操作ＳＷ群１９はユーザーが操作する画面表示切換、入力切換のためのＳＷ群である。１／2画面切換ＳＷ２５は画面を1画面または２画面に切り換えるＳＷである。ＴＶ／外部切換ＳＷ２６はＴＶ表示と外部入力表示を切り換えるＳＷである。外部入力ＨＤ／ＳＤ切換ＳＷ２７は外部入力をＨＤ信号またはＳＤ信号に切り換えるＳＷである。マイコン２３はＴＶ受信部２全体を制御する部分であり、操作ＳＷ群１９の内容に従って外部信号切換ＳＷ１８、主画像切換SW１２、ＨＤ−ＳＤ変換切換SW１４を後述する条件に従って切り換える。
【０００８】
パネル部３について説明する。ＴＶ受信部２から出力された合成映像信号はパネルコントロール回路２１に入り、パネル制御に適した信号に変換される。パネル２２はCRT、液晶、PDP等の表示装置であり、パネルコントロール回路２１からの信号にしたがって画像表示を行う。
【０００９】
従来回路での動作を説明する。前述のように主映像はＨＤ信号、ＳＤ信号とも表示でき、副画面はＳＤ信号のみ表示できるシステムである。外部映像受信機１からＨＤ信号、ＳＤ信号とも入力され、かつＨＤ信号、ＳＤ信号が同一番組の場合について説明する。また、説明を簡単にする為に２画面時、主画面はＴＶ信号、副画面は外部入力とする。
【００１０】
このシステム構成で表示される画面の表示内容を図１０に示す。1画面時が３種類、２画面が１種類である。１画面時は図１０のＮｏ１から３に示すようにＴＶ表示、外部入力ＨＤ信号表示、外部入力ＳＤ表示の３種類がある。2画面時の表示状態は、前述のようにＴＶ信号を主画面画像、外部入力を副画面とする。副画面の外部入力はＨＤ信号入力とＳＤ信号入力の場合が考えられるが、前述のように副画面にＨＤ信号は表示できない。従って、２画面時は図１０のＮｏ４に示すように主画面画像がＴＶ表示、副画面画像が外部入力ＳＤ信号表示となる。他の表示状態はない。
【００１１】
次に図１１に従ってユーザー操作SWの切換内容と画面表示について説明する。操作ＳＷ群１９は前述の様に１／２画面表示切換SW２５、ＴＶ／外部切換ＳＷ２６、外部入力ＨＤ／ＳＤ切換ＳＷ２７がある。この３つのＳＷの内容がマイコン２３に入り、マイコン２３は表示状態を図１０に従った内容にするべく回路内の切換ＳＷを切り換える。操作ＳＷ群１９の内容によっては実現できない場合がある。その際は、その旨の警告メッセージを画面に表示し、ユーザーに知らせる。図１１のＮｏ１、２の操作ＳＷ位置は１画面側、ＴＶ表示側であり、画面は１画面のＴＶ表示となる。Ｎｏ３、４の操作ＳＷ位置は１画面側、外部入力側であり、外部入力ＨＤ／ＳＤ切換ＳＷ２７に従って、外部入力のＳＤ信号またはＨＤ信号が表示される。Ｎｏ５、７は１／２画面切換ＳＷ２５が２画面側であり、外部入力ＨＤ／ＳＤ切換ＳＷ２７がＨＤ側である。副画面にはＨＤ信号は表示されないため、この場合は２画面表示ができない。そのため、１画面表示のまま、「２画面表示できません」とメッセージが表示される。Ｎｏ６，８は１／２画面切換ＳＷ２５が２画面側でかつ、外部入力ＨＤ／ＳＤ切換ＳＷ２７がＳＤ側である。この場合２画面表示可能である。前述のように本例では説明を簡単にする為に２画面時、主画面はＴＶ信号、副画面は外部入力とするので、主画面側にＴＶ、副画面側に外部入力ＳＤ信号が表示される。
【００１２】
次に図１２の従来例の各画面表示内容と回路内ＳＷの関係と図８の従来例の構成図に従って画面表示内容と回路内のＳＷ設定の関係を説明する。まず、Ｎｏ１の１画面ＴＶ表示時について説明する。外部入力ＨＤ／ＳＤ切換ＳＷ１８はａ側，ｂ側どちらでもよい。主画面切換ＳＷ１２はｃ側でＴＶ信号を選択する。ＨＤ−ＳＤ変換切換ＳＷ１４はｅ側である。１画面の場合はＨＤ−ＳＤ変換を行わないためである。従って映像信号はアンテナ９、受信回路１０、画像処理回路１１を通り、主画面切換ＳＷ１２、ＨＤ−ＳＤ変換切換ＳＷ１４を通り、画面合成回路１５を通りパネル表示部３に出力されパネル２２にて映像表示される。画面合成回路１５では画面合成は行われない。
【００１３】
図１２のＮｏ２の１画面外部入力ＳＤ信号時信号切換ＳＷ１８はｂ側でＳＤ入力信号を選択する。主画面切換ＳＷ１２はｄ側に入り、外部入力を選択する。ＨＤ−ＳＤ変換切換ＳＷ１４は１画面のためｅ側を選択する。従って映像信号の流れを見ると外部映像受信機１のＳＤ信号出力回路８から出力されるＳＤ信号はＳＤ信号入力回路１７、外部信号切換ＳＷ１８、画像処理回路２０、主画像切換ＳＷ１２、ＨＤ−ＳＤ変換切換ＳＷ１４、画像合成回路１５、パネルコントローラ回路を経て、パネル２２で画像表示されることになる。
【００１４】
図１２のＮｏ３の１画面外部入力ＨＤ信号時、信号切換ＳＷ１８はａ側でＨＤ信号が選択される。他はＮｏ２の場合と同様である。
【００１５】
図１２のＮｏ４の２画面表示時、外部信号切換１８はｂ側でＳＤ入力信号が選択される。主画面切換ＳＷ１２はｃ側に入り、ＴＶを選択する。ＨＤ−ＳＤ変換切換ＳＷ１４はｆ側に入り、ＨＤ−ＳＤ変換回路１３を選択する。２画面時にＴＶ信号をＨＤからＳＤに変換するためである。主映像信号であるＴＶ信号はアンテナ９、受信回路１０、画像処理回路１１、主画面切換ＳＷ１２を通り、ＨＤ−ＳＤ変換回路１３でＳＤ信号に変換され、ＨＤ−ＳＤ変換切換ＳＷ１４を経て画像合成回路１５に入る。他方、外部入力信号について見ると外部映像受信機１から出力したＳＤ信号はＳＤ信号入力回路１７に入り外部信号切換ＳＷ１８、画像処理回路２０を通り、画像合成回路１５に入る。画像合成回路１５にてＴＶ信号と外部入力信号が２画面合成され、パネル表示部３で画像表示される。
【００１６】
次に図９のフローチャートと図１１に従って操作ＳＷ群１９を切り換えた際の動作を説明する。動作は操作ＳＷ群１９の位置によって一意的に決定される。まず、操作ＳＷ群１９が切り換えられ図１１のＮｏ１、２の状態になった場合を説明する。操作ＳＷ群１９に変化が無い場合はフローチャート上Ｓ１の各操作ＳＷの状態変化は無いのでＮであり、Ｓ１の状態を続ける。いずれかの操作ＳＷの状態が変化すると、Ｓ１の条件がＹとなり、Ｓ２に移動する。１／２画面切換ＳＷ２５は１画面側であるから、Ｓ２の「１／２画面切換ＳＷは２画面側？」がＮとなり、Ｓ６に移動する。ＴＶ／外部切換ＳＷ２６はＴＶ側であるからＳ６の「ＴＶ／外部切換ＳＷはＴＶ側？」はＹとなり、Ｓ８に移動し、１画面、ＴＶ表示となる。外部入力ＨＤ／ＳＤ切換ＳＷ２７がＨＤ信号側かＳＤ信号側かは関係しない。
【００１７】
Ｎｏ３は操作ＳＷが１画面側、外部入力側、外部入力ＨＤ信号側の場合である。１画面側であるからＳ２はＮとなり、Ｓ６に移動する。ＴＶ／外部ＳＷ２６は外部側であるからＳ６はＮとなり、Ｓ７に移動する。外部入力ＨＤ／ＳＤ切換ＳＷ２７はＨＤ側であるからＳ７の「外部入力ＨＤ／ＳＤ切換ＳＷはＳＤ側か？」はＮとなり、Ｓ１０に移動し、１画面、外部入力ＨＤ信号表示となる。次にＮｏ４の場合であるがＮｏ３との違いは外部入力ＨＤ／ＳＤ切換ＳＷ２７がＳＤ側である点のみである。従って、Ｓ７はＹとなりＳ９に移動する。Ｓ９にて、１画面、外部入力ＳＤ信号表示となる。
【００１８】
次にＮｏ５は操作ＳＷが、２画面側、ＴＶ側、外部入力ＨＤ信号側の場合である。Ｓ２はＳＷが２画面側であるからＹとなり、Ｓ３に移動する。外部入力ＨＤ／ＳＤ切換ＳＷ２７がＨＤ側であるためＳ３の「外部入力ＨＤ／ＳＤ切換ＳＷはＳＤ側か？」はＮとなり、Ｓ５に移動する。Ｓ５にて「２画面表示できません。」表示を行う。副画面にＨＤ信号が表示できないためである。Ｓ６に移動し、ＴＶ／外部切換ＳＷ２６はＴＶ側であることからＳ８に移動し、１画面、ＴＶ表示となる。Ｎｏ６は操作ＳＷが２画面側、ＴＶ側、外部入力ＳＤ側であるから、Ｓ１、Ｓ２、Ｓ３と移動しＳ３にて外部入力ＳＤ信号側であるからＹとなり、Ｓ１１に移動し、２画面で主画面がＴＶ信号表示、副画面が外部入力ＳＤ信号表示となる。Ｎｏ８の場合も同様である。
【００１９】
Ｎｏ７は操作ＳＷが２画面側、外部側、ＨＤ側の場合である。Ｓ１、Ｓ２、Ｓ３と移動しＨＤのためＮとなり、Ｓ５にて「２画面表示できません。」表示を行う。ＴＶ／外部切換ＳＷが外部側、外部入力ＨＤ／ＳＤ切換ＳＷがＨＤ側であるからＳ６、Ｓ７、Ｓ１０と移動し１画面、外部入力ＨＤ信号表示となる。
【００２０】
ここで、外部入力の視聴に注目する。１画面の外部入力映像を見る場合、ＨＤ信号による視聴とＳＤ信号による視聴が可能であるが、より高品位での視聴を考えると視聴者はＨＤ信号を選ぶのが普通である。そのため、視聴者は外部入力ＨＤ／ＳＤ切換ＳＷ２７をＨＤ側に切換えて視聴する。その場合の表示状態は図１１のＮｏ３になる。次に、視聴者が２画面視聴にするために、１／２画面切換ＳＷ２５を２画面側にした場合を考える。図１１の表で見るとＮｏ７の状態になる。この状態では前述のように、副画面のＨＤ表示ができないことから２画面に移行せず１画面のまま「２画面表示できません」のメッセージが出てしまう。視聴者が２画面表示を行うためには、外部入力ＨＤ／ＳＤ切換ＳＷ２７をＳＤ側にしなければならない。外部入力ＨＤ／ＳＤ切換ＳＷ２７をＳＤ側にすることにより、図１１のＮｏ８の状態になり、視聴者は２画面表示を視聴することができるようになる。
【００２１】
次に、その状態から１画面に切り換えるために１／２画面切換ＳＷ２５を１画面に切り換えると図１２のＮｏ４の状態となり、外部入力をＳＤ信号で視聴することになる。より高品位で視聴するためには視聴者が外部入力ＨＤ／ＳＤ切換ＳＷ２７をHD信号側に切り換えなければならない。
【００２２】
このように外部入力信号について２画面視聴とHD信号（高品位）での１画面視聴を両立するには、視聴者は１，２画面切換ごとに１／２画面切換SW２５とは別に外部入力ＨＤ／ＳＤ切換SW２７を操作しなければならないため、ＳＷ操作の手間が増えてしまう。この従来例では操作ＳＷ群１９がセットの表面にある場合を説明したが、ＯＳＤ表示のメニューによって外部入力ＨＤ／ＳＤを切り換える方法も一般的な手法であり、この場合は視聴者はさらに煩雑な操作が必要になっていた。
【００２３】
また、複数の映像フォーマットを表示する従来技術の例として特開２００１−２６８４７３号公報がある。複数の入力端子をもち、複数の映像フォーマットを表示できるテレビジョン受信機について、受信あるいは入力された映像信号のフォーマットに応じて、これらの映像ソースを最適化した組み合わせのフォーマットに変換して出力することにより、最適の２画面表示を行うテレビジョン放送受信機が示されている。しかし、複数のフォーマット変換を持つことはコスト的、ＬＳＩのチップの規模的制限により製品上困難な場合がある。その場合の対応については記載されておらず、そのような制限のある製品では副画面の映像表示が特定のフォーマットでしか表示できない問題点があった。
【特許文献１】特開２００１−２６８４７３号
【発明の開示】
【発明が解決しようとする課題】
【００２４】
上記の如く、複数の映像フォーマットの映像信号を入力できる複数の外部入力回路を備え、２画面時の副画面は特定の映像フォーマットのみ表示できる２画面テレビジョン装置において、前記複数の映像フォーマットの映像信号が同一番組があった時、１画面での外部入力映像視聴時に高品位の映像フォーマットで視聴しようとすると、外部入力を高品位の映像フォーマット信号に切換る必要があった。次に視聴者が１画面から２画面への切換操作を行い、２画面の副画面に外部入力信号を表示させようとした場合は、外部入力を特定の映像フォーマットに切り換える必要があった。
【００２５】
このように、視聴者は１画面の外部入力映像の高品位での視聴と２画面での外部入力映像の視聴を両立するためには１，２画面を切り換えるごとに外部入力を高品位映像フォーマットと特定の映像フォーマットとを切り換えねばならず不便であった。
【００２６】
本発明はこのような従来の問題点に鑑みてなされたものであって１画面での高品位表示と２画面表示を両立しようとする際の煩雑な操作を軽減することを技術的課題とする。
【課題を解決するための手段】
【００２７】
第１の発明は複数の映像フォーマットの映像信号を入力できる複数の外部入力回路を備え、２画面時の副画面は特定の映像フォーマットのみ表示できる２画面テレビジョン装置において、前記複数の映像フォーマットの映像信号が同一番組であるか否かを判別する判別手段と、前記判別手段により前記複数の映像フォーマットの映像信号が同一番組があると判別された時、１画面の外部入力映像表示時に前記複数の映像フォーマットの映像信号から高品位な映像フォーマットを選択し、２画面の副画面に外部入力映像表示時に前記特定の映像フォーマットを選択する映像選択手段とを有してなることを特徴とする。
【００２８】
第２の発明は請求項１に記載の２画面テレビジョン装置において、前記高品位な映像フォーマットはハイビジョン放送フォーマット、前記特定の映像フォーマットは標準放送フォーマットであることを特徴とする。
【発明の効果】
【００２９】
本発明によれば、主画面についてＨＤ信号、ＳＤ信号の両映像フォーマットが表示でき、副画面にはＳＤ信号等の低品位の映像信号のみ表示可能なテレビジョン放送受信機に、ＨＤ信号とＳＤ信号を同時に出力する外部映像受信機を接続した場合に、視聴者は煩雑な操作を行うことなく１画面時での高品位視聴と、2画面表示を両立できる。従って視聴者の利便性を向上させるものである。
【発明を実施するための最良の形態】
【００３０】
本発明の実施例の構成図を図１に示す。外部映像受信機１は単独でテレビジョン放送を受信可能な映像受信機である。ＴＶ受信部２は単独でテレビジョン放送を受信可能な受信部であり、テレビジョン放送としてHD信号を受信する。映像入力端子を２つ備えており、ＳＤ信号かＨＤ信号のいずれかを選択できる。さらに、テレビジョン放送と外部入力信号を同時に２画面表示できる。パネル表示部３はテレビジョン映像表示部であり、CRT、液晶、PDP等である。ＴＶ受信部２からの信号をパネルに表示する。
【００３１】
本発明の従来例同様にシステムは主映像はＨＤ信号、ＳＤ信号とも表示でき、副画面はSD信号のみ表示できるものとする。2画面でHD信号を表示するためにはＨＤ−ＳＤ信号変換回路１３でＨＤ信号をＳＤ信号に変換し表示する必要がある。しかし、ＨＤ−ＳＤ信号変換回路１３は回路規模が大きいため、ＩＣのゲート数の制限、コストとの兼ね合いからＨＤ−ＳＤ信号変換回路を１回路のみ実装することが一般的な形態としてある。よって、主画面はＨＤ信号とＳＤ信号の両方を表示でき、副画面はＳＤ信号のみ表示可能となる。また、ＴＶ受信部２は外部入力端子をもち、入力信号がＳＤ信号の場合はＳＤ信号用の入力端子（ＳＤ信号入力回路１７）に接続し、入力信号がＨＤ信号の場合はＨＤ信号用の入力端子（ＨＤ信号入力回路１６）に接続する。入力する機器がＨＤ信号、ＳＤ信号どちらか一方のみをもつ場合を他方を未接続にする。本発明例では従来例同様に外部映像受信機１がＨＤ信号、ＳＤ信号の両方を出力でき、同一番組をＨＤ信号、ＳＤ信号の両方で出力している場合について説明する。また、説明を簡単にする為に２画面時、主画面はＴＶ信号、副画面は外部入力とする。
【００３２】
回路構成で従来例と異なる部分について説明する。映像判別回路２４はＨＤ信号入力回路１６、ＳＤ信号入力回路１７に接続されＨＤ信号入力回路１６とＳＤ信号入力回路１７への入力信号が同一番組か否かを判別する回路である。判別は画像を複数のブロックに分け、ＨＤ信号とＳＤ信号で各ブロックの輝度レベルが同一か否かによって同一番組否かを判別する。判別結果はマイコン２３に入力され、マイコン２３はＨＤ信号とＳＤ信号が同一番組か否かによって回路内の信号切換内容を変更する。
【００３３】
このシステム構成でかつ外部入力ＨＤ信号と外部入力ＳＤ信号が同一番組と判別されている場合について図５に従って説明する。外部入力ＨＤ信号と外部入力ＳＤ信号が同一番組でない場合は従来例と同様に図１０の表示内容になる。マイコン２３は外部入力ＨＤ信号と外部入力ＳＤ信号は同一番組であることから判断し、ユーザーから見てより高品位、より利便性のある表示内容となるようにシステムを制御する。表示状態の種類は1画面時がＴＶ表示、外部入力ＨＤ表示の２種類、２画面時が主画面ＴＶ表示、副画面外部入力ＳＤ表示の１種類である。１画面での外部入力ＳＤ表示はＨＤ表示に比べ低品位であるため行わない。
【００３４】
次に図６に従ってユーザー操作SWの切換内容と表示について説明する。操作SW群１９は前述の様に１／２画面表示切換SW２５、ＴＶ／外部切換ＳＷ２６、外部入力ＨＤ／ＳＤ切換ＳＷ２７がある。１／２画面表示切換SW２５は１画面表示と２画面表示を切り換える。ＴＶ／外部切換ＳＷ２６はＴＶ表示と外部入力表示を切り換える。外部入力ＨＤ／ＳＤ切換ＳＷ２７は外部入力時にＨＤ信号入力とＳＤ信号入力を切り換える。前述同様に画像判別回路２４にて外部入力ＳＤ信号と外部入力ＨＤ信号が同一番組と判定されている場合について説明する。ＨＤ信号とＳＤ信号が同一番組でない場合は図１１の従来例と同様である。図６のＮｏ１，２の操作ＳＷ位置は１／２画面切換ＳＷ２５が１画面側、ＴＶ／外部切換ＳＷ２６がＴＶ側であり、画面はＴＶの１画面となる。Ｎｏ３は１／２画面切換ＳＷ２５が１画面側、外部入力ＨＤ／ＳＤ切換ＳＷ２７がＨＤ側の場合であり１画面外部入力ＨＤ信号表示となる。Ｎｏ１からＮｏ３までは従来例の図１１のＮｏ１から３と同様である。図６のＮｏ４は操作ＳＷ位置が１画面側、外部入力側、ＳＤ側の場合であり、画像判別回路２４でＨＤ信号とＳＤ信号が同一番組であると判別されているので高画質での視聴を優先し１画面、外部入力ＨＤ信号表示となる。図６のＮｏ５からＮｏ８の場合であるが、１／２画面切換ＳＷ２５が２画面側で、かつ画像判別回路２４によってＨＤ信号とＳＤ信号が同一番組と判別されているので、外部入力ＨＤ／ＳＤ切換ＳＷ２７の状態によらず、すべて２画面表示で主画面がＴＶ表示、副画面が外部入力ＳＤ信号表示となる。従来例図１１のＮｏ５、Ｎｏ７のように「２画面表示できません。」と表示することはない。
【００３５】
次に図７の本発明の各画面表示内容と回路内ＳＷの関係と図１の本発明の構成図に従って画面表示内容と回路内のＳＷ設定の関係を説明する。まず、Ｎｏ１の１画面ＴＶ表示時について説明する。外部入力信号信号切換ＳＷ１８はａ側，ｂ側どちらでもよい。主画面切換ＳＷ１２はｃ側でＴＶ信号を選択する。ＨＤ−ＳＤ変換切換ＳＷ１４はｅ側である。１画面の場合はＨＤ−ＳＤ変換を行わないためである。従って映像信号はアンテナ９、受信回路１０、画像処理回路１１を通り、主画面切換ＳＷ１２、ＨＤ−ＳＤ変換切換ＳＷ１４を通り、画面合成回路１５を通りパネル表示部３に出力されパネル２２にて映像表示される。画面合成回路１５では画面合成は行われない。
【００３６】
図７のＮｏ２の１画面外部入力ＨＤ信号時は信号切換ＳＷ１８はａ側でＨＤ信号が選択される。主画面切換ＳＷ１２はｄ側に入り、外部入力を選択する。ＨＤ−ＳＤ変換切換ＳＷ１４は１画面のためｅ側に入れる。従って映像信号は外部映像受信機１のＨＤ信号出力回路７から出力されるＨＤ信号はＨＤ信号入力回路１６、外部信号切換ＳＷ１８、画像処理回路２０、主画像切換ＳＷ１２、ＨＤ−ＳＤ変換切換ＳＷ１４、画像合成回路１５、パネルコントローラ回路２１を経て、パネル２２で画像表示される。
【００３７】
図７のＮｏ３の２画面表示時は外部信号切換１８はｂ側でＳＤ入力信号が選択される。主画面切換ＳＷ１２はｃ側に入り、ＴＶ側を選択する。ＨＤ−ＳＤ変換切換ＳＷ１４はｆ側に入り、ＨＤ−ＳＤ変換回路１３を選択する。２画面時にＴＶ信号をＨＤからＳＤに変換するためである。主映像信号であるＴＶ信号はアンテナ９、受信回路１０、画像処理回路１１、主画面切換ＳＷ１２を通り、ＨＤ−ＳＤ変換回路１３でＳＤ信号に変換され、ＨＤ−ＳＤ変換切換ＳＷ１４を経て画像合成回路１５に入る。他方、外部入力信号について見ると外部映像受信機１から出力したＳＤ信号はＳＤ信号入力回路１７に入り外部信号切換ＳＷ１８、画像処理回路２０を通り、画像合成回路１５に入る。画像合成回路１５にてＴＶ信号と外部入力信号が２画面合成され、パネル表示部３で画像表示される。
【００３８】
次に図２のフローチャートと図６に従って操作ＳＷ群１９を切り換えた際の動作を説明する。動作は操作ＳＷ群１９の位置によって一意的に決定される。まず、操作ＳＷ群１９が切り換えられ図６のＮｏ１、２の状態になった場合を説明する。操作ＳＷ群１９に変化が無い場合はフローチャート上Ｓ１の各操作ＳＷの状態変化は無いのでＮであり、Ｓ１の状態を続ける。いずれかの操作ＳＷの状態が変化すると、Ｓ１の条件がＹとなり、Ｓ２に移動する。１／２画面切換ＳＷ２５は１画面側であるから、Ｓ２の「１／２画面切換ＳＷは２画面側？」がＮとなり、Ｓ６に移動し、ＴＶ／外部切換ＳＷ２６はＴＶ側であることからＳ６の「ＴＶ／外部切換ＳＷはＴＶ側？」はＹとなり、Ｓ８に移動し、１画面、ＴＶ表示となる。外部入力がＨＤ信号かＳＤ信号かは関係しない。
【００３９】
Ｎｏ３は１／２画面切換ＳＷ２５が１画面側、ＴＶ／外部切換ＳＷ２６が外部側、外部入力ＨＤ／ＳＤ切換ＳＷ２７がＨＤ側の場合である。１／２画面切換ＳＷ２５が１画面側であるからＳ２の「１／２画面切換ＳＷは２画面側？」はＮとなり、Ｓ６に移動する。ＴＶ／外部切換ＳＷ２６は外部側であるからＳ６の「ＴＶ／外部切換ＳＷはＴＶ側？」はＮとなり、Ｓ１２に移動する。ＨＤ信号とＳＤ信号は同一番組と判別された場合Ｓ１２の「外部入力のＨＤ入力とＳＤ入力は同一番組か？」はＹとなり、Ｓ１０に移動し、１画面、外部入力ＨＤ信号表示となる。外部入力のＨＤ入力とＳＤ入力が同一番組でなかった場合はＳ１２がＮとなりＳ７に移動する。外部入力ＨＤ／ＳＤ切換ＳＷ２７はＨＤ入力であるから、Ｓ７の「外部入力ＨＤ／ＳＤ切換ＳＷはＳＤ側か？」はＮとなりＳ１０に移動し１画面、外部入力ＨＤ信号表示となる。
【００４０】
次にＮｏ４は操作ＳＷが１画面側、ＴＶ側、ＳＤ側である。Ｎｏ３と同様Ｓ２、Ｓ６、Ｓ１２と移動し、Ｓ１２の「外部入力のＨＤ入力とＳＤ入力は同一番組か？」はＹとなり、Ｎｏ３と同様に１画面、外部入力ＨＤ信号表示となる。外部入力のＨＤ入力とＳＤ入力が同一番組でないと判別された場合はＳ１２の判断がＮとなり、Ｓ７に移動する。外部入力ＨＤ／ＳＤ切換ＳＷ２７がＳＤ側であるから「外部入力ＨＤ／ＳＤ切換ＳＷはＳＤ側か？」はＹとなりＳ９に移動し、１画面、外部入力ＳＤ信号表示となる。
【００４１】
次にＮｏ５は、操作ＳＷが２画面側、ＴＶ側、ＨＤ側の場合である。２画面側であるからＳ２の「１／２画面切換ＳＷは２画面側？」はＹとなり、Ｓ３に移動、外部入力ＨＤ／ＳＤ切換ＳＷ２７はＨＤ側であるためＳ３の「外部入力ＨＤ／ＳＤ切換ＳＷはＳＤ側か？」はＮとなり、Ｓ４に移動する。外部入力のＨＤ信号、ＳＤ信号は同一番組と判別された場合はＳ４の「外部入力のＨＤ入力、ＳＤ入力は同一番組か？」はＹとなり、Ｓ１１になり、２画面  主画面ＴＶ表示、副画面外部入力ＳＤ信号表示となる。外部入力のＨＤ信号、ＳＤ信号は同一番組でないと判別された場合はＳ４での判断がＮとなり、Ｓ５に移動する。Ｓ５にて「２画面表示できません。」表示を行い、Ｓ６に移動する。ＴＶ／外部切換ＳＷ２５はＴＶ側であるからＳ６の「ＴＶ／外部切換ＳＷはＴＶ側？」はＹとなり、Ｓ８に移動する。Ｓ８にて１画面、ＴＶ表示となる。
【００４２】
Ｎｏ６は、操作ＳＷが２画面側、ＴＶ側、ＳＤ側であるから、Ｓ１、Ｓ２、Ｓ３と移動する。Ｓ３の「外部入力ＨＤ／ＳＤ切換ＳＷはＳＤ側か？」はＳＤ側であるからＹとなり、Ｓ１１に移動し、２画面で主画面がＴＶ、副画面が外部ＳＤ信号となる。Ｎｏ８は、操作ＳＷが２画面側、外部側、ＳＤ側である。フローの流れはＮｏ６と同一であり、２画面で主画面がＴＶ、副画面が外部ＳＤ信号となる。
【００４３】
Ｎｏ７は操作ＳＷが２画面側、外部側、ＨＤ側の場合である。Ｓ１、Ｓ２、Ｓ３と移動し、Ｓ３の「外部入力ＨＤ／ＳＤ切換ＳＷ２７はＳＤ入力か？」はＮとなり、Ｓ４に移動する。外部入力のＨＤ信号、ＳＤ信号は同一番組と判別された場合Ｓ４の「外部入力のＨＤ入力とＳＤ入力は同一番組か？」がＹとなり、Ｓ１１に移動し、２画面で主画面ＴＶ表示、副画面外部入力ＳＤ信号表示となる。外部入力のＨＤ信号、ＳＤ信号は同一番組で無いと判別された場合はＳ４の「外部入力のＨＤ入力とＳＤ入力は同一番組か？」がＮとなり、Ｓ５に移動する。Ｓ５で「２画面表示できません。」表示を行い、Ｓ６に移動する。ＴＶ／外部切換ＳＷ２６は外部側であるからＳ６の「ＴＶ／外部切換ＳＷはＴＶ側？」はＮとなり、Ｓ１２に移動する。外部入力のＨＤ信号、ＳＤ信号は同一番組でないのでＳ１２の判断はＮとなり、Ｓ７に移動し、外部入力ＨＤ／ＳＤ切換ＳＷ２７はＨＤ側であるからＳ７の「外部入力ＨＤ／ＳＤ切換ＳＷはＳＤ入力か？」はＮとなりＳ１０に移動する。１画面外部入力ＨＤ信号表示となる。
【００４４】
この動作により、外部入力に外部映像受信機１を接続し、かつ外部映像受信機１がＨＤ信号、ＳＤ信号出力を備え、同一番組内容を出力できる場合に、視聴者は煩雑な操作を行うことなく、２画面表示と高品位の１画面表示を視聴することができる。
【００４５】
また、ユーザー操作ＳＷについてはセット上のスイッチを想定しているが、リモコンによる切換の場合も同様である。
【図面の簡単な説明】
【００４６】
【図１】本発明の一実施形態における全体構成例を示す図である。
【図２】一実施形態の操作スイッチ切換時のフローチャートを示す図である。
【図３】2画面表示例１を示す図である。
【図４】2画面表示例２を示す図である。
【図５】一実施形態の画面表示内容を示す図である。
【図６】一実施形態の操作スイッチと画面表示内容を示す図である。
【図７】一実施形態の画面内容と回路内スイッチ内容を示す図である。
【図８】従来例の全体構成を示す図である。
【図９】従来例の操作スイッチ切換時のフローチャートを示す図である。
【図１０】従来例の画面表示内容を示す図である。
【図１１】従来例の操作スイッチと画面表示内容を示す図である。
【図１２】従来例の画面内容と回路内スイッチ内容を示す図である。
【符号の説明】
【００４７】
１  外部映像受信機
２  ＴＶ受信部
３  パネル表示部
４  アンテナ
５  受信回路
６  ＨＤ−ＳＤ変換回路
７  ＨＤ信号出力回路
８  ＳＤ信号出力回路
９  アンテナ
１０  受信回路
１１  画像処理回路
１２  主画像切換SW
１３  ＨＤ−ＳＤ変換回路
１４  ＨＤ−ＳＤ変換切換SW
１５  画像合成回路
１６  ＨＤ信号入力回路
１７  ＳＤ信号入力回路
１８  外部信号切換SW
１９  操作ＳＷ群
２０  画像処理回路
２１  パネルコントロール回路
２２  パネル
２３  マイコン
２４  画像判別回路
２５  １／２画面表示切換ＳＷ
２６  ＴＶ／外部切換ＳＷ
２７  外部入力ＨＤ／ＳＤ切換ＳＷ
【図１】
2006261906.tif 000003
【図２】
2006261906.tif 000004
【図３】
2006261906.tif 000005
【図４】
2006261906.tif 000006
【図５】
2006261906.tif 000007
【図６】
2006261906.tif 000008
【図７】
2006261906.tif 000009
【図８】
2006261906.tif 000010
【図９】
2006261906.tif 000011
【図１０】
2006261906.tif 000012
【図１１】
2006261906.tif 000013
【図１２】
2006261906.tif 000014